(57)【要約】【課題】安全かつ予め定めた方向に確実に樹木を伐倒させることができる樹木伐採用ガイドを提供する。【解決手段】樹木１０の幹に円筒状に巻回されて取り付けられるシート２に、シート２の水平方向に沿う下切り線３と、下切り線３を底辺とする二等辺三角形の等辺である斜め切り線４と、二等辺三角形の側方に水平方向に沿う追い口切り線５とを設ける。斜め切り線４の下切り線３に対する角度は、３０度〜４５度であり、追い口切り線５と下切り線３の間隔ｈＳ、ｈＭ、ｈＬは、受け口１１の高さＨＳ、ＨＭ、ＨＬの略２／３であり、下切り線３は、下切りの切断長Ｄが幹の直径の１／４以上となるような長さであり、追い口切り線５は、つるの幅Ｌが幹の直径の略１／１０となるような長さである。（高さＨＳ、ＨＭ、ＨＬは、Ｐ０〜ＰＳ、Ｐ０〜ＰＭ、Ｐ０〜ＰＬの距離である。）【選択図】  図１
2011254732.tif 000002
【特許請求の範囲】
【請求項１】
樹木の幹に円筒状に巻回されて取り付けられるシートを備え、
前記シートの表面には、
前記シートが幹に巻回された状態における水平方向に沿う下切り線と、
当該下切り線を底辺とし、前記水平方向に対する垂直方向の上方に凸となる二等辺三角形の等辺である斜め切り線と、
前記二等辺三角形の側方に水平方向に沿う追い口切り線とが表示され、
前記斜め切り線の前記下切り線に対する角度は、３０度〜４５度であり、
前記追い口切り線と前記下切り線の垂直方向における間隔は、前記二等辺三角形の高さの略２／３であり、
前記下切り線は、前記シートが幹に巻回された状態において、前記下切り線に沿って樹木の一部を切断した下切りの切断長が幹の直径の１／４以上となるような長さであり、
前記追い口切り線は、前記シートが幹に巻回された状態において、前記追い口切り線に沿って樹木の一部を切断した追い口と前記下切りとの間隔であるつるの幅が幹の直径の略１／１０となるような長さである
ことを特徴とする樹木伐採用ガイド。
【請求項２】
請求項１に記載する樹木伐採用ガイドにおいて、
前記シートの表面には、樹木の幹の直径に応じた複数の下切り線、斜め切り線及び追い口線が表示されている
ことを特徴とする樹木伐採用ガイド。
【請求項３】
請求項２に記載する樹木伐採用ガイドにおいて、
前記シートの表面には、水平方向にそってπ尺が表示されている
ことを特徴とする樹木伐採用ガイド。
【発明の詳細な説明】
【技術分野】
【０００１】
本発明は、樹木伐採用ガイドに関し、特に、樹木を安全に伐採する場合に適用して有用なものである。
【背景技術】
【０００２】
従来、山道を切り開くため、材木を得るため、又は樹木の育成を促すために間引くなど、様々な目的のために樹木の伐採が行われている。
【０００３】
樹木の伐採は、図４に示すように行う。すなわち、樹木１０の幹の一方からチェーンソーなどで水平方向に切り込みを入れ（このような切り込みを行うことを下切りと称する。）、その下切りした部位（下切り部１３）よりも上方から、下切り部１３の先端部１３ａ（幹の中心側）に向けて斜めに切り込みを入れ（このような切り込みを行うことを斜め切りと称する。）、下切りと斜め切りとで幹の一部を切除して受け口１１を形成する。そして、受け口１１とは反対側から追い口１２と呼ばれる切り込みを入れる（このような切り込みを行うことを追い口切りと称する。）。
【０００４】
このような作業手順によって受け口１１、追い口１２を形成し、受け口１１の方向に樹木を伐倒させて伐採を行うのであるが、次のような制約がある。
（１）受け口１１の下切りした部位の深さＤは、樹木の直径（伐根直径）の１／４以上とする。
（２）受け口１１の下切りは、水平に行う。
（３）受け口１１の斜め切りは、水平から３０度〜４５度の角度で行う。
（４）下切りと斜め切りの切り終わりは、一直線になるように一致させる。すなわち、図５に示すように、斜め切りした部分（斜め切り部１４）が下切り部１３を越えたり、その逆に、下切り部１３が斜め切り部１４を越えるような切断は行わないようにする。
（５）追い口切りは、受け口１１の高さの２／３程度の高さｈにおいて水平に行う。ここでいう受け口１１の高さとは、受け口１１の下切り部１３と、斜め切りを開始した部位との高さＨである。
（６）追い口１２の深さは、一般的には、つるの幅が伐根直径の１／１０程度となるようにする。つるの幅Ｌとは、樹木の横断面（図４（ｂ）参照）において、追い口１２の先端部１２ａ（幹の中心側）から下切り部１３の先端部１３ａとの間の幅である。
【０００５】
このような制約を満たすことで、伐採途中で樹木が倒れることを防止し、かつ予め定めた方向に伐倒することができる。
【０００６】
しかしながら、例えば、（１）については１／４以上となっているが、必要以上に深く切り込んでしまったり、（２）については、現地においては角度が分かり難いため、不適切な角度で切り込んでしまうなど、（１）〜（６）の制約にしたがって樹木を伐採することは難しいという問題がある。
【０００７】
特許文献１には、受け口に挿入し、樹木の伐倒方向を知ることができる伐採用定規が開示されているが、上述の制約を満たして、予め定めた方向に樹木を安全に伐採することを支援するものではない。
【先行技術文献】
【特許文献】
【０００８】
【特許文献１】実用新案登録第３０８８２５１号公報
【発明の概要】
【発明が解決しようとする課題】
【０００９】
本発明は、このような事情に鑑み、安全かつ予め定めた方向に確実に樹木を伐倒させることができる樹木伐採用ガイドを提供することを目的とする。
【課題を解決するための手段】
【００１０】
上記課題を解決する本発明の第１の態様は、樹木の幹に円筒状に巻回されて取り付けられるシートを備え、前記シートの表面には、前記シートが幹に巻回された状態における水平方向に沿う下切り線と、当該下切り線を底辺とし、前記水平方向に対する垂直方向の上方に凸となる二等辺三角形の等辺である斜め切り線と、前記二等辺三角形の側方に水平方向に沿う追い口切り線とが表示され、前記斜め切り線の前記下切り線に対する角度は、３０度〜４５度であり、前記追い口切り線と前記下切り線の垂直方向における間隔は、前記二等辺三角形の高さの略２／３であり、前記下切り線は、前記シートが幹に巻回された状態において、前記下切り線に沿って樹木の一部を切断した下切りの切断長が幹の直径の１／４以上となるような長さであり、前記追い口切り線は、前記シートが幹に巻回された状態において、前記追い口切り線に沿って樹木の一部を切断した追い口と前記下切りとの間隔であるつるの幅が幹の直径の略１／１０となるような長さであることを特徴とする樹木伐採用ガイドにある。
【００１１】
かかる第１の態様では、樹木伐採用ガイドを樹木に巻回して取り付け、下切り線、斜め切り線及び追い口切り線に沿って下切り、斜め切り、追い口切りを順次行うだけで、制約（１）〜（６）を充足した受け口及び追い口を形成することができる。これにより、樹木を伐倒したい方向に確実にかつ安全に伐倒することができる。
【００１２】
本発明の第２の態様は、第１の態様に記載する樹木伐採用ガイドにおいて、前記シートの表面には、樹木の幹の直径に応じた複数の下切り線、斜め切り線及び追い口切り線が表示されていることを特徴とする樹木伐採用ガイドにある。
【００１３】
かかる第２の態様では、樹木の直径に合わせた伐採を１枚の樹木伐採用シートで行うことができる。
【００１４】
本発明の第３の態様は、第２の態様に記載する樹木伐採用ガイドにおいて、前記シートの表面には、水平方向にそってπ尺が表示されていることを特徴とする樹木伐採用ガイドにある。
【００１５】
かかる第３の態様では、π尺をシートに設けることで、容易に樹木の直径を知ることができ、その直径を元に、複数の下切り線、斜め切り線及び追い口切り線の何れを用いるかを容易に判断することができる。
【発明の効果】
【００１６】
本発明によれば、樹木伐採用ガイドを樹木に巻回して取り付け、下切り線、斜め切り線及び追い口切り線に沿って下切り、斜め切り、追い口切りを順次行うだけで、制約（１）〜（６）を充足した受け口及び追い口を形成することができる。これにより、樹木を伐倒したい方向に確実にかつ安全に伐倒することができる。
【図面の簡単な説明】
【００１７】
【図１】本実施形態に係る樹木伐採用ガイドの平面図である。
【図２】樹木に巻回した樹木伐採用ガイドの概略図である。
【図３】樹木伐採用ガイドを取り付けた樹木を伐採する手順を示す図である。
【図４】適正な受け口と追い口とを説明する図である。
【図５】不適正な受け口を説明する図である。
【発明を実施するための形態】
【００１８】
以下、本発明の実施形態を図面に基づき詳細に説明する。図１は、本実施形態に係る樹木伐採用ガイドの平面図であり、図２は、樹木に巻回した樹木伐採用ガイドの概略図である。
【００１９】
図１及び図２に示すように、樹木伐採用ガイド１は、長尺の紙からなるシート２を備えている。シート２の長尺方向及び短尺方向は、シート２が樹木１０に巻回されたときの水平方向及び垂直方向にそれぞれ対応しており、シート２は、長尺方向が水平となるように樹木１０の幹に円筒状に巻回される。シート２の長尺方向の長さは、樹木１０の幹の周囲の長さよりも長くしておく（シート２の長尺方向の両端部が重なってもよい。）。
【００２０】
シート２には、下切り線３、斜め切り線４及び追い口切り線５が表示されている。これらの下切り線３、斜め切り線４及び追い口切り線５の一組は、樹木１０を切断する位置を表示するものである。本実施形態では、樹木の直径として２０ｃｍ、３０ｃｍ、４０ｃｍを想定し、シート２には、これら３つの直径に応じた三組が表示されている。
【００２１】
下切り線３は、水平方向に沿い、シート２の中心について対称に表示された線分である。下切り線３の長さは、シート２が樹木１０の幹に巻回された状態において、下切り線３に沿って樹木１０の一部を切断した下切り部１３（図４参照）の深さＤ（図４参照）が幹の直径の１／４以上となるような長さである。
【００２２】
下切り線３は、シート２が樹木１０の幹に巻回された際に、樹木１０の下部の周面に沿って水平に表示され、下切りのガイドとなる。下切りのガイドとは、上述した制約（１）、（２）及び（４）を充足するような下切りを行うことができる目印である。すなわち、樹木１０に巻回されたシート２ごと下切り線３に沿って樹木１０を切断することで、上述した制約（１）、（２）及び（４）を充足するような下切りを行うことができる。
【００２３】
本実施形態では、樹木の直径２０ｃｍに対応した下切り線３Ｓ、３０ｃｍに対応した下切り線３Ｍ、４０ｃｍに対応した下切り線３Ｌの３本がシート２に表示され、それぞれの長さは、約６πｃｍ、約１０πｃｍ、約１４πｃｍとしてある。
【００２４】
斜め切り線４は、下切り線３を底辺とし、垂直方向の上方に凸となる二等辺三角形の等辺となるようにシート２に表示された線分である。斜め切り線４は、シート２が樹木１０の幹に巻回された際に、樹木１０の下部の周面に沿って下切り線３から３０度〜４５度の角度で表示され、斜め切りのガイドとなる。斜め切りのガイドとは、上述した制約（３）及び（４）を充足するような斜め切りを行うことができる目印である。すなわち、樹木１０に巻回されたシート２ごと斜め切り線４に沿って樹木１０を切断することで、上述した制約（３）及び（４）を充足するような斜め切りを行うことができる。
【００２５】
本実施形態では、樹木の直径２０ｃｍに対応した斜め切り線４Ｓ、３０ｃｍに対応した斜め切り線４Ｍ、４０ｃｍに対応した斜め切り線４Ｌの３本がシート２に表示され、それぞれの下切り線３Ｓ、３Ｍ、３Ｌとの角度は、約３０度としてある。
【００２６】
追い口切り線５は、二等辺三角形（斜め切り線４）の側方において水平方向に沿い、シート２の中心について対称に表示された二本の線分からなる。本実施形態では、樹木の直径２０ｃｍに対応した追い口切り線５Ｓ、３０ｃｍに対応した追い口切り線５Ｍ、４０ｃｍに対応した追い口切り線５Ｌの３種がシート２に表示されている。
【００２７】
追い口切り線５Ｓ、５Ｍ、５Ｌは、下切り線３Ｓ、３Ｍ、３Ｌに対する垂直方向の間隔ｈＳ、ｈＭ、ｈＬが、二等辺三角形の高さＨＳ、ＨＭ、ＨＬの略２／３程度となっている。なお、高さＨＳ、ＨＭ、ＨＬは、二等辺三角形の高さであり、図にはＰ０〜ＰＳ、Ｐ０〜ＰＭ、Ｐ０〜ＰＬの距離として表してある。
【００２８】
また、追い口切り線５の長さは、シート２が樹木の幹に巻回された状態において、追い口切り線５に沿って樹木１０の一部を切断した追い口１２（図４参照）と下切り部１３（図４参照）との間隔であるつるの幅Ｌが幹の直径の略１／１０となるような長さとなっている。
【００２９】
追い口切り線５は、シート２が樹木１０の幹に巻回された際に、樹木１０の下切り線３及び斜め切り線４とは反対側において、幹の周面に沿って水平に一本の線分として表示され、追い口切りのガイドとなる。追い口切りのガイドとは、上述した制約（５）及び（６）を充足するような追い口切りを行うことができる目印である。すなわち、樹木１０に巻回されたシート２ごと追い口切り線５に沿って樹木１０を切断することで、上述した制約（５）及び（６）を充足するような追い口切りを行うことができる。
【００３０】
本実施形態では、樹木の直径２０ｃｍに対応した追い口切り線５Ｓは、斜め切り線４Ｓの側方にそれぞれ表示された約６πｃｍ程度の二本の線分であり、樹木の直径３０ｃｍに対応した追い口切り線５Ｍは、斜め切り線４Ｍの側方にそれぞれ表示された約９πｃｍ程度の二本の線分であり、樹木の直径４０ｃｍに対応した追い口切り線５Ｌは、斜め切り線４Ｌの側方にそれぞれ表示された約１２πｃｍ程度の二本の線分である。
【００３１】
また、シート２には、水平方向に沿ってπ尺が表示されている。π尺は、樹木１０の直径を測定するために用いられる。すなわち、シート２を樹木１０の幹に巻回し、π尺の重なった部分の目盛りが幹の直径となる。このようにして得られた直径は、３種類の下切り線３Ｓ〜３Ｌ、斜め切り線４Ｓ〜４Ｌ、追い口切り線５Ｓ〜５Ｌの何れを用いるかの目安となる。すなわち、π尺をシートに設けることで、複数の下切り線３等から何れを用いるかを容易に得ることができる。
【００３２】
ここで、上述した構成の樹木伐採用ガイド１を用いて樹木を伐採する手順について、直径が４０ｃｍの樹木１０を伐採する場合について説明する。
【００３３】
まず、樹木伐採用ガイド１を、長尺方向が水平となるように樹木１０に円筒状に巻回し、ベルト１５で固定する（図２参照）。このとき、樹木１０を伐倒したい方向に、樹木伐採用ガイド１の中心が合うようにし、その状態で、樹木伐採用ガイド１の両端を樹木１０に巻回してベルト１５で固定する。下切り線３及び斜め切り線４が樹木伐採用ガイド１の中心に対して対称に表示されているので、受け口１１を形成する位置が樹木１０を伐倒する方向からずれることを防止できる。
【００３４】
次に、図３（ａ）に示すように、下切り線３Ｌに沿って、シート２ごと樹木１０の一部を切断して下切りを行う。
【００３５】
次に、図３（ｂ）に示すように、斜め切り線４Ｌに沿って、シート２ごと樹木１０の一部を切断して斜め切りを行う。これにより、図３（ｃ）に示すように、樹木の一部が切除されて受け口１１が形成される。下切り線３Ｌ及び斜め切り線４Ｌに沿って下切り及び斜め切りを行ったので、制約（１）〜（４）を充足した受け口１１を形成できる。
【００３６】
そして、追い口切り線５Ｌに沿って、シート２ごと樹木１０の一部を切断して追い口切りを行う。これにより、図３（ｄ）に示すように、受け口１１とは反対側に、制約（５）及び（６）を充足した追い口１２を形成できる。
【００３７】
このような手順により受け口１１及び追い口１２を形成することで、受け口１１が潰れて樹木１０が伐倒する。
【００３８】
以上に説明したように、本実施形態に係る樹木伐採用ガイド１によれば、下切り線３、斜め切り線４及び追い口切り線５に沿って下切り、斜め切り、追い口切りを順次行うだけで、制約（１）〜（６）を充足した受け口１１及び追い口１２を形成することができる。これにより、樹木１０を伐倒したい方向に確実にかつ安全に伐倒することができる。
【００３９】
また、本実施形態に係る樹木伐採用ガイド１は、紙製のシート２からなるので、軽量であり、山間部に持ち運ぶのに負担にならず、また、チェーンソーなどで樹木１０と一緒に切断する際にも容易に切断できる。
【００４０】
なお、上述した実施形態において、樹木伐採用ガイド１は、樹木１０の直径に応じて下切り線３Ｓ〜３Ｌ、斜め切り線４Ｓ〜４Ｌ、追い口切り線５Ｓ〜５Ｌの３組が表示してあるが、３組に限らず、任意の数の組でもよい（１組でもよい）。
【００４１】
また、シート２は紙製としたが、軽量であり、チェーンソーなどで切断可能なものであれば特に限定されない。さらに、シート２には、長尺方向の中心について対称に下切り線３等を表示したが、対称である必要はない。
【産業上の利用可能性】
【００４２】
本発明は、樹木を伐採する分野において利用することができる。
【符号の説明】
【００４３】
１            樹木伐採用ガイド
２            シート
３、３Ｓ、３Ｍ、３Ｌ        下切り線
４、４Ｓ、４Ｍ、４Ｌ        斜め切り線
５、５Ｓ、５Ｍ、５Ｌ        追い口切り線
１０          樹木
１１          受け口
１２          追い口
１３          下切り部
１４          斜め切り部
１５          ベルト
【図１】
2011254732.tif 000003
【図２】
2011254732.tif 000004
【図３】
2011254732.tif 000005
【図４】
2011254732.tif 000006
【図５】
2011254732.tif 000007